(57)【要約】【課題】設計が容易で製造もし易く、かつ安定して動作させることができるロック機構を備えた台間機を提供する。【解決手段】台間機は、台間機ホルダ（２０）と、台間機本体（１０）と、台間機本体（１０）を台間機ホルダ（２０）に装着された状態にロックするロック機構（３０）とを備え、ロック機構（３０）は、台間機ホルダ（２０）から台間機本体（１０）が引き出されてもロック解除状態を保持し、台間機ホルダ（２０）に前記台間機本体（１０）が差し込まれることでロック解除状態の保持を解除するロック解除状態保持機構（５０）を有し、ロック解除状態保持機構（５０）は、台間機本体（１０）を台間機ホルダ（２０）に抜き差しする方向と同一方向の動きでロック解除状態の保持および該保持の解除を行う構成である。【選択図】図３
2018019967.tif 000002
【特許請求の範囲】
【請求項１】
台間機ホルダと、
前記台間機ホルダに対して抜き差し自在に装着されている台間機本体と、
前記台間機本体を前記台間機ホルダに装着された状態にロックするロック機構と、を備え、
前記ロック機構は、
前記台間機ホルダに前記台間機本体が差し込まれるまでロック解除状態を保持し、前記台間機ホルダに前記台間機本体が差し込まれることでロック解除状態の保持を解除するロック解除状態保持機構を有し、
前記ロック解除状態保持機構は、前記台間機本体を前記台間機ホルダに抜き差しする方向と同一方向の動きでロック解除状態の保持および該保持の解除を行うことを特徴とする台間機。
【請求項２】
前記ロック機構は、
前記台間機ホルダに取り付けられ、当該台間機の上下方向に沿って前記台間機本体に係合したロック位置および当該ロック位置から退避したロック解除位置にスライドするロック部材と、
前記ロック解除状態保持機構として、
前記ロック部材に取り付けられた開口部を有する板ばねと、
前記台間機本体の差し込み方向に突出しており、前記ロック部材が前記ロック位置にある状態では、前記台間機本体に押されて前記板ばねを弾性変形させ、前記ロック部材が前記ロック解除位置に移動することで前記開口部に入り込んで前記板ばねの弾性変形を解除させ、前記台間機本体による押しが解除されることで前記開口部から抜け出す押込部と、
前記台間機ホルダに設けられると共に前記押込部と同方向に突出し、かつ、前記押込部における、前記ロック部材が前記ロック位置に移動する方向に位置し、前記ロック部材が前記ロック解除位置に移動することで前記押込部と共に前記開口部に入り込む係止部と、
を有することを特徴とする請求項１に記載の台間機。
【請求項３】
基端部が台間機ホルダに固定されると共に先端部が前記台間機本体の差し込み方向に折り曲げられた曲げ部を有する弾性変形可能な板状部材を備え、前記曲げ部が前記押込部として機能することを特徴とする請求項２に記載の台間機。
【請求項４】
前記台間機ホルダに回転自在に支持されると共に先端部が前記台間機本体の差し込み方向に折り曲げられた曲げ部を有する板状部材を備え、前記板状部材は、前記曲げ部が前記押込部として機能し、前記曲げ部が前記開口部から抜け出す方向に付勢されていることを特徴とする請求項２に記載の台間機。
【発明の詳細な説明】
【技術分野】
【０００１】
本発明は、台間機ホルダに抜き差し自在に台間機本体が装着された構成の台間機に関し、さらに詳しくは、台間機本体を台間機ホルダにロックするためのロック機構の改良に関するものである。
【背景技術】
【０００２】
パチンコ店などの遊技店では、遊技者が遊技台を離れることなく遊技球の貸し出しを受けられるように、遊技球の貸し出しを行う台間機が各遊技台に隣接配置されている。台間機は遊技島に固定された台間機ホルダに台間機本体を抜き差し自在に装着した構成のものが一般的であり、台間機本体を手前に引き出すことにより、メンテナンスなどの作業が簡単にできるようになっている。
【０００３】
この構成の台間機では、必要時以外に台間機本体が台間機ホルダから引き出されることの無いように、台間機本体を台間機ホルダにロックするロック機構が設けられている。
【０００４】
ロック機構としては、例えば特許文献１に記載されているように、ロックレバーを解除状態に保持するための保持部材が水平方向に回転可能に取り付けられ、ロックレバーを解除位置に移動させると、保持部材が回転してロック解除状態を保持し、台間機本体を台間機ホルダに装着することで保持部材が回転してロック解除状態の保持が解除され、ロックレバーが移動してロックが掛かる機構のものが提案されている。
【先行技術文献】
【特許文献】
【０００５】
【特許文献１】特許第４３６９１９７号明細書
【発明の概要】
【発明が解決しようとする課題】
【０００６】
しかしながら、上記特許文献１の構成では、保持部材が水平方向に回転する構成である。そのため、保持部材を安定して動作させるためには、保持部材が取り付けられている台間機ホルダと台間機本体との位置精度が前後方向だけでなく、横方向にも要求される。
【０００７】
台間機ホルダと台間機本体との位置精度は、台間機本体の抜き差し方向である前後方向においては、もともと高く設計されている。これは、台間機ホルダと台間機本体との電気的な接続を、台間機本体の背面側にコネクタを設けて行っているためであり、電気的な接続精度を確保するには、前後方向において高い位置精度が要求される。
【０００８】
上記特許文献１の構成では、前後方向に加えて横方向にもある程度の高い位置精度が要求されるため、設計が難しくなる。
【０００９】
しかも、上記特許文献１の構成では、機能の実現に多くの部品を使用しているため寸法バラツキが累積され、関連する部品を高い精度で作る必要があり、製造し難い。
【００１０】
本発明は、前記の問題点に鑑みてなされたものであり、その目的は、設計が容易で製造もし易く、かつ安定して動作させることができるロック機構を備えた台間機を提供することにある。
【課題を解決するための手段】
【００１１】
上記の課題を解決するために、本発明に係る台間機は、台間機ホルダと、前記台間機ホルダに対して抜き差し自在に装着されている台間機本体と、前記台間機本体を前記台間機ホルダに装着された状態にロックするロック機構と、を備え、前記ロック機構は、前記台間機ホルダに前記台間機本体が差し込まれるまでロック解除状態を保持し、前記台間機ホルダに前記台間機本体が差し込まれることでロック解除状態の保持を解除するロック解除状態保持機構を有し、前記ロック解除状態保持機構は、前記台間機本体を前記台間機ホルダに抜き差しする方向と同一方向の動きでロック解除状態の保持および該保持の解除を行うことを特徴としている。
【００１２】
上記構成によれば、ロック解除状態保持機構によるロック解除状態の保持および該保持の解除は、台間機本体を台間機ホルダに抜き差しする方向と同一方向の動きで行うようになっているので、横方向の位置精度は要求されず、抜き差し方向（前後方向）の位置精度だけ高ければよい。抜き差し方向（前後方向）の位置精度は、前述したように、電気的な接続精度を確保するために、もともと高く設定されているので、あえて上げる必要はない。したがって、設計が容易でありながらも、安定して動作させることが可能なロック機構とすることができる。
【００１３】
本発明に係る台間機は、さらに、前記ロック機構は、前記台間機ホルダに取り付けられ、当該台間機の上下方向に沿って前記台間機本体に係合したロック位置および当該ロック位置から退避したロック解除位置にスライドするロック部材と、を備え、かつ、前記ロック解除状態保持機構として、前記ロック部材に取り付けられ、開口部を有する板ばねと、前記台間機本体の差し込み方向に突出しており、前記ロック部材が前記ロック位置にある状態では、前記台間機本体に押されて前記板ばねを弾性変形させ、前記ロック部材が前記ロック解除位置に移動することで前記開口部に入り込んで前記板ばねの弾性変形を解除させ、前記台間機本体による押しが解除されることで前記開口部から抜け出す押込部と、前記台間機ホルダに設けられると共に前記押込部と同方向に突出し、かつ、前記押込部における、前記ロック部材が前記ロック位置に移動する方向に位置し、前記ロック部材が前記ロック解除位置に移動することで前記押込部と共に前記開口部に入り込む係止部と、を有する構成とすることもできる。
【００１４】
上記構成によれば、ロック部材が前記ロック位置にある状態では、差し込まれた台間機本体に押された押込部が板ばねを押圧して弾性変形させている。
【００１５】
ロック部材がロック解除位置に移動すると、ロック部材に取り付けられた板ばねもロック部材と共に移動し、板ばねを押圧していた押込部は板ばねの開口部に入り込み、これにより、板ばねの弾性変形が解除される。板ばねの弾性変形が解除されることで、係止部も押込部と共に開口部に入り込む。
【００１６】
次に、台間機本体が台間機ホルダから引き出されて台間機本体による押込部の押しが解除されると、押込部が開口部から抜け出す。押込部が開口部から抜けたことで、板ばねは、例えばロック部材を付勢する付勢部材の力あるいはロック部材の自重等でロック状態となる方向に移動するが、開口部には係止部も入り込んでいるので、係止部と係合することで板ばねの移動は停止する。これにより、ロック部材をロック解除位置に保持することができる。
【００１７】
この後、台間機ホルダに台間機本体が差し込まれると、台間機本体に押されて押込部が板ばねを押して係止部と係止している状態から外す。これにより、ロック解除状態保持が解除される。板ばねと係止部との係止が外れることで、ロック部材は自重や付勢部材の力でロック位置に引き戻され、台間機本体を台間機ホルダに装着された状態にロックする。なお、板ばねは、押込部が開口部から抜け出たことで、係止部と開口部とが係止する位置まで移動しているので、押込部は開口部に入り込むことなく、板ばねに当接して押すことができる。
【００１８】
このような構成とすることで、ロック解除状態保持機構によるロック解除状態の保持および該保持の解除を、台間機本体を台間機ホルダに抜き差しする方向と同一方向の動きで行うことができるロック機構を備えた台間機を容易に実現できる。
【００１９】
また、上記構成では、ロック解除状態を保持する板ばねをロック部材に取り付けて移動させるので、板ばねを移動させる機構が必要なく、少ない部品点数で簡易な構成にて実現できる。
【００２０】
しかも、板ばねの弾性変形を利用するため、回転の支点軸が不要であり、部品１点で係止部と開口部とが係止する位置と、係止しない位置の２つの姿勢を作り出すことができる。また、板ばね自体に復帰力があるため、復帰のためのばね等も不要である。このように、板ばねを用いてロック解除状態保持機構を構成することで、ロック解除状態保持機構自体を小型化でき、ひいてはロック機構を小型化することができる。
【００２１】
本発明に係る台間機は、さらに、基端部が台間機ホルダに固定されると共に先端部が前記台間機本体の差し込み方向に折り曲げられた曲げ部を有する弾性変形可能な板状部材を備え、前記曲げ部が前記押込部として機能する構成とすることもできる。
【００２２】
上記構成によれば、板状部材が台間機本体に押されることで弾性変形して曲げ部にて板ばねを押圧し、台間機本体からの押しが解除されて変形から復帰することで曲げ部が開口部から抜け出す。これにより、台間機本体の取り付け状態に応じて動作する押込部を容易に実現することができる。
【００２３】
本発明に係る台間機は、さらに、前記台間機ホルダに回転自在に支持されると共に先端部が前記台間機本体の差し込み方向に折り曲げられた曲げ部を有する板状部材を備え、前記板状部材は、前記曲げ部が前記押込部として機能し、前記曲げ部が前記開口部から抜け出す方向に付勢されている構成とすることもできる。
【００２４】
上記構成によれば、板状部材が台間機本体に押されることで回転して、曲げ部にて板ばねを弾性変形させ、台間機本体からの押しが解除されることで付勢力にて逆方向に回転して、曲げ部が開口部から抜け出す。これにより、台間機本体の取り付け状態に応じて動作する押込部を容易に実現することができる。
【発明の効果】
【００２５】
本発明は、設計が容易で製造もし易く、かつ安定して動作させることができるロック機構を備えた台間機を提供することができるという効果を奏する。
【図面の簡単な説明】
【００２６】
【図１】本発明の実施の一形態を示すもので、台間機と遊技台とが複数設置された遊技島を前方から見た斜視図である。
【図２】上記台間機の斜視図であり、台間機ホルダから台間機本体を引き出した状態を示している。
【図３】上記台間機本体が台間機ホルダに差し込まれ、ロックが掛かった状態のロック機構を示す図であり、（ａ）は側面図、（ｂ）は正面図、（ｃ）は（ａ）における○で囲った部分の拡大図である。
【図４】図３のロックが掛かった状態から、ロックレバーが最上位置まで持ち上げられた状態のロック機構を示す図であり、（ａ）は側面図、（ｂ）は正面図、（ｃ）は（ａ）における○で囲った部分の拡大図である。
【図５】図４のロックレバーが最上位置まで持ち上げられた状態から、ロックレバーの持ち上げ操作が解除され、ロックレバーがロック解除状態保持位置まで降下した状態のロック機構を示す図であり、（ａ）は側面図、（ｂ）は正面図、（ｃ）は（ａ）における○で囲った部分の拡大図である。
【図６】図５のロックレバーがロック解除状態保持位置まで降下した状態から、台間機本体が引き出された状態のロック機構を示す図であり、（ａ）は側面図、（ｂ）は正面図、（ｃ）は（ａ）における○で囲った部分の拡大図である。
【図７】図６の台間機本体が引き出された状態から台間機本体を差し込むことでロック解除状態が解除されるロック機構を示す図であり、（ａ）は側面図、（ｂ）は正面図、（ｃ）は（ａ）における○で囲った部分の拡大図である。
【図８】は、図７の台間機本体が差し込まれ、板ばねとホルダ曲げとの係合が解かれ、復帰ばねの力でロックレバーがロック位置に引き戻されてロックが掛かったロック状態のロック機構を示す図であり、（ａ）は側面図、（ｂ）は正面図、（ｃ）は（ａ）における○で囲った部分の拡大図である。
【図９】本実施のその他の実施の形態を示すもので、台間機本体を台間機ホルダに装着した状態でロックするロック機構を示す図であり、（ａ）はプッシャ板金に台間機本体の背面が当接する前の状態を示し、（ｂ）はプッシャ板金が台間機本体の背面に押されてプッシャ曲げが板ばねを押している状態を示している。
【図１０】本実施のさらに他の実施の形態を示すもので、台間機本体を台間機ホルダに装着した状態でロックするロック機構を示す図であり、（ａ）はプッシャ板金に台間機本体の背面が当接する前の状態を示し、（ｂ）はプッシャ板金が台間機本体の背面に押されてプッシャ曲げが板ばねを押している状態を示している。
【図１１】本実施のさらに他の実施の形態を示すもので、台間機本体を台間機ホルダに装着した状態でロックするロック機構を示す図であり、（ａ）は台間機本体の背面に形成された本体曲げ部が板ばねに当接する前の状態を示し、（ｂ）は本体曲げ部が板ばねを押している状態を示している。
【図１２】図１１のロック機構の構成に組み合わせることが好ましい、台間機本体の背面に、本体曲げ部をガードするガード部材が設けられている構成を示す面である。
【発明を実施するための形態】
【００２７】
以下、本発明の実施の形態について、図面を参照して詳細に説明する。
【００２８】
図１は、本実施の形態に係る台間機１が複数設置された遊技島２を前方から見た斜視図である。図１に示すように、遊技島２においては、台間機１と遊技台３とが複数列設されている。台間機１は、右側に隣接する遊技台３に対して球貸処理を行うものであり、現金やプリペイドカードの投入に応じて球貸しを行う。台間機１の球貸し方式には、遊技球を台間機１から直接に貸し出す方式や、台間機１から出力される球貸し指令に応じて遊技台３から遊技球を貸し出す方式などがある。
【００２９】
図２は、台間機１の斜視図であり、台間機ホルダ２０から台間機本体１０を引き出した状態を示している。図２に示すように、台間機１は、遊技島２に取り付けられている台間機ホルダ２０と、この台間機ホルダ２０に対して前方（正面）から抜き差し自在の状態で装着されている台間機本体１０から構成されている。
【００３０】
台間機本体１０は、上下に細長い扁平な直方体形状のケース１１に、ビルバリ１２、制御基板１３、通信機器等が組み込まれ予めユニット化されたものである。
【００３１】
台間機ホルダ２０は、上下方向に延びる縦フレーム２１と、縦フレーム２１の上下の端から前方に水平に延びている上側ガイド枠２２および下側ガイド枠２３とを備えている。これら上下のガイド枠２２、２３によって台間機本体１０の抜き差しがガイドされる。
【００３２】
台間機ホルダ２０と台間機本体１０の間にはロック機構３０が設けられている。台間機本体１０が台間機ホルダ２０に差し込まれると、ロック機構３０によって、台間機ホルダ２０に台間機本体１０が自動的に係合し、当該台間機本体１０が差込状態にロックされる。具体的には、台間機ホルダ２０に設けられたロックレバー（ロック部材）４１の各係合部４１ｂ・４１ｂが、台間機本体１０のケース１１の背面板部分１１ａに設けられた各係合穴３１・３１にそれぞれ係合することで、当該台間機本体１０が差込状態にロックされる。
【００３３】
台間機本体１０を台間機ホルダ２０から抜き出す場合は、台間機ホルダ２０の背面側に突出する手動操作部４１ｄを掴んでロックレバー４１を上方に引き上げて各係合部４１ｂ・４１ｂと各係合穴３１・３１との係合を解除し、その上で台間機本体１０を引き抜く。
【００３４】
以下、図３〜図８を用いて、ロック機構３０の構成およびその動作について詳細に説明する。
【００３５】
図３は、台間機本体１０が台間機ホルダ２０に差し込まれ、ロックが掛かった状態のロック機構３０を示す図であり、（ａ）は側面図、（ｂ）は正面図、（ｃ）は（ａ）における○で囲った部分の拡大図である。なお、分かりやすくするために、（ａ）（ｂ）においては、係合部４１ｂは一つのみ記載している。また、（ａ）では、縦フレーム２１について、ロック機構３０に関わる部分と台間機本体１０のケース１１と当接する部分のみを記載し、（ｂ）では、台間機本体１０の記載を省略すると共に、縦フレーム２１について、後述するフレーム曲げ部（第２突出部）に関わる部分のみ記載している。以降の図４〜図８においても同様である。
【００３６】
図３の（ａ）〜（ｃ）に示すように、ロック機構３０は、台間機ホルダ２０の縦フレーム２１に設けられたホルダ側機構４０と、台間機本体１０のケース１１の背面板部分１１ａに形成された係合穴３１とを有する。
【００３７】
ホルダ側機構４０は、上述のロックレバー４１とロック解除状態保持機構５０とを備えている。
【００３８】
ロックレバー４１は、右側板部分２１ａの内側表面に沿って上下方向にスライド自在に設けられている。ロックレバー４１は、縦フレーム２１の右側板部分２１ａの内側表面に沿って上下方向に延びる細長い扁平なスライド板部分４１ａ、このスライド板部分４１ａの前端縁から前方に突出し、先端側が下方に向かって屈曲し、台間機本体１０側の係合穴３１と係止する係合部４１ｂと、スライド板部分４１ａの下端部から横方向に直角に折り曲げられて正面側を向く板ばね取り付け部分４１ｃとを備えている。なお、ここでは、ロックレバー４１を、縦フレーム２１の右側板部分２１ａの内側表面に沿うように設けたが、縦フレーム２１の左側板部分２１ｂの内側表面に沿うように設けることもできる。
【００３９】
スライド板部分４１ａの後端部分は、縦フレーム２１の背面板部分に形成形された図示しない開口部から背面側に水平に突出している。この突出部分が、ロックレバー４１をスライドさせるための手動操作部４１ｄである。
【００４０】
スライド板部分４１ａには、上下方向に長い一対のガイド穴４１ｅ、４１ｆが形成されており、これらのガイド穴４１ｅ、４１ｆには、右側板部分２１ａに固定したガイドピン２４、２５がそれぞれ摺動自在の状態で差し込まれている。これにより、ロックレバー４１は、ガイドピン２４、２５がガイド穴４１ｅ、４１ｆの上端もしくは上端付近に位置する、図３に示すロック位置と、ガイドピン２４、２５がガイド穴４１ｅ、４１ｆの真ん中から下側に位置する後述するロック解除位置との間をスライド可能である。本実施の形態のロック機構３０においては、ロック解除時のロックレバー４１の移動方向が上方向、ロック時の移動方向が下方向となる。
【００４１】
スライド板部分４１ａには、ロックレバー４１を前記ロック位置に付勢する復帰ばね（付勢部材）２６が設けられている。復帰ばね２６は、その上端がスライド板部分４１ａのばね掛け４１ｇに取り付けられている。復帰ばね２６の下端は、右側板部分２１ａに形成されたばね掛け２７に取り付けられている。復帰ばね２６は引っ張り状態で架け渡されているので、ロックレバー４１には下向きの力、すなわち、ロックレバー４１をロック位置に付勢するばね力が常に作用している。なお、復帰ばね２６を設けることなく、ロックレバー４１の自重によりロックレバー４１がロック位置に降下する構成であってもよい。
【００４２】
ロック解除状態保持機構５０は、台間機ホルダ２０に台間機本体１０が差し込まれるまでロック解除状態を保持し、台間機本体１０が差し込まれるとロック解除状態の保持を解除するものである。ロック解除状態保持機構５０は、台間機本体１０が抜き出された状態では、ロックレバー４１をロック解除位置（後述するロック解除状態保持位置を含む）に保持する。ロック解除状態保持機構５０は、台間機本体１０を台間機ホルダ２０に抜き差しする方向と同一方向の動きでロック解除状態の保持および該保持の解除を行うようになっている。
【００４３】
ロック解除状態保持機構５０は、ロックレバー４１の下端部の板ばね取り付け部分４１ｃに取り付けられた板ばね５１と、該板ばね５１に台間機本体１０に押されて作用するプッシャ曲げ部（押込部）５２ａと、台間機ホルダ２０に形成されたホルダ曲げ部（係止部）２１ｄとを有している。
【００４４】
板ばね５１は、Ｚ字状に折り曲げられており、ロックレバー４１の板ばね取り付け部分４１ｃに、装着された状態の台間機本体１０の背面板部分１１ａを向いて、ネジ等で取り付けられている。板ばね５１は、垂直な面を持ち、板ばね取り付け部分４１ｃに取り付けられる取り付け部分５１ａと、該取り付け部分５１ａから水平方向に折れ曲がり前後方向に延びている水平板部分５１ｂと、この水平板部分５１ｂにおける前端部から垂直に立ち上がっている垂直板部分５１ｃとを備えている。垂直板部分５１ｃには、角穴（開口部）５１ｄが形成され、角穴５１ｄの上端には、台間機本体１０の差し込み方向に突出する板ばね曲げ部５１ｅが形成されている。
【００４５】
プッシャ曲げ部５２ａは、台間機本体１０の差し込み方向に突出しており、ロックレバー４１がロック位置にある状態では、装着された台間機本体１０に押されて板ばね５１を押圧し、板ばね５１を弾性変形させる。そして、プッシャ曲げ部５２ａは、ロックレバー４１がロック解除位置に移動して板ばね５１が上方に移動することで、板ばね５１の角穴５１ｄに入り込む。そして、台間機本体１０が引き出されて台間機本体１０からの押しが解除されると、角穴５１ｄから抜け出す。
【００４６】
ホルダ曲げ部２１ｄは、台間機ホルダ２０に設けられ、プッシャ曲げ部５２ａと同方向に突出し、プッシャ曲げ部５２ａの下側（復帰ばね２９の付勢方向側）に位置している。ホルダ曲げ部２１ｄは、ロックレバー４１がロック位置にある状態では、板ばね５１が弾性変形することで形成された空間に位置しており、ロックレバー４１がロック解除位置に移動して板ばね５１が上方に移動することで、プッシャ曲げ部５２ａと共にばね５１の角穴５１ｄに入り込み、プッシャ曲げ部５２ａが角穴５１ｄから抜け出ても角穴５１ｄと係止した状態を保持する。
【００４７】
具体的には、板ばね５１の前方（正面側）に、縦フレーム２１の左側板部分２１ｂから延びるホルダ腕部２１ｃが配設されている。ホルダ腕部２１ｃにおける延伸方向先端部は、正面よりみて板ばね５１に重畳しており、この延伸方向先端部の上縁部に、上方に延びる延長片を台間機本体１０の差し込み方向に折曲げることで、ホルダ曲げ部２１ｄが形成されている。
【００４８】
さらに、ホルダ腕部２１ｃにおける延伸方向先端部の前方（正面側）には、上下方向に延びる板状のプッシャ板金（板状部材）５２が配設されている。プッシャ板金５２は、正面よりみて板ばね５１とホルダ腕部２１ｃにおける延伸方向先端部と重畳しており、プッシャ板金５２における上端は、台間機本体１０の差し込み方向に折曲げられて、プッシャ曲げ部５２ａが形成されている。プッシャ板金５２における下端部は、台間機ホルダ２０にネジ等で固定されている。
【００４９】
ロック状態では、ホルダ曲げ部２１ｄは、正面より見て板ばね５１の角穴５１ｄの上側（ロック解除時の移動方向側）に位置し、プッシャ曲げ部５２ａは、正面より見て板ばね５１の角穴５１ｄの上側（ロック解除時の移動方向側）に当接し、板ばね５１を図３の（ｃ）の矢印に示す（台間機本体１０の差し込み方向）に弾性変形させている。
【００５０】
図４は、図３のロックが掛かった状態から、ロックレバー４１が最上位置まで持ち上げられた状態のロック機構３０を示す図であり、（ａ）は側面図、（ｂ）は正面図、（ｃ）は（ａ）における○で囲った部分の拡大図である。
【００５１】
図４の（ａ）〜（ｃ）に示すように、ロックレバー４１が最上位置（ロック解除位置）まで持ち上げられることで、ロックレバー４１の係合部４１ｂが、台間機本体１０側の係合穴３１に係合しない位置まで上昇する。このとき、ロックレバー４１は、復帰ばね２６の付勢力に抗って上昇する。ロックレバー４１が持ち上げられると、ロックレバー４１に取り付けられた板ばね５１も上方に移動する。板ばね５１が上方に移動することで、プッシャ曲げ部５２ａと、ホルダ曲げ部２１ｄとが板ばね５１の角穴５１ｄに入り込む。これにより、板ばね５１の弾性変形が解除され、板ばね５１の上端側が、図４の（ｃ）の矢印に示す方向に移動し、板ばね５１における垂直板部分５１ｃが垂直に立った状態になる。
【００５２】
図５は、図４のロックレバー４１が最上位置まで持ち上げられた状態から、ロックレバー４１の持ち上げ操作が解除され、ロックレバー４１がロック解除状態保持位置まで降下した状態のロック機構３０を示す図であり、（ａ）は側面図、（ｂ）は正面図、（ｃ）は（ａ）における○で囲った部分の拡大図である。
【００５３】
図５の（ａ）〜（ｃ）に示すように、ロックレバー４１の持ち上げ操作が解除されることで、復帰ばね２６の戻る力でロックレバー４１は下方に降下する。プッシャ曲げ部５２ａと、ホルダ曲げ部２１ｄとが角穴５１ｄに入り込んでいるため、ロックレバー４１は、板ばね５１の板ばね曲げ部５１ｅがプッシャ曲げ部５２ａに当たる位置まで降下して停止する。板ばね曲げ部５１ｅがプッシャ曲げ部５２ａに当たってロックレバー４１が停止する位置は、係合部４１ｂが台間機本体１０側の係合穴３１に係合しないロック解除状態保持位置である。
【００５４】
図６は、図５のロックレバー４１がロック解除状態保持位置まで降下した状態から、台間機本体１０が引き出された状態のロック機構３０を示す図であり、（ａ）は側面図、（ｂ）は正面図、（ｃ）は（ａ）における○で囲った部分の拡大図である。
【００５５】
図６の（ａ）〜（ｃ）に示すように、ロック解除状態保持位置においてロックレバー４１は、係合部４１ｂが、台間機本体１０側の係合穴３１に係合しない高さ位置で保持されているので、台間機本体１０を台間機ホルダ２０から引き抜くことができる。台間機本体１０が引き出されると、プッシャ板金５２は、その復帰力により、図６の（ｃ）の矢印に示す方向に移動し、プッシャ曲げ部５２ａが角穴５１ｄから抜け出す。また、ロックレバー４１は、復帰ばね２６の戻る力で板ばね曲げ部５１ｅがホルダ曲げ部２１ｄに当たる位置まで降下して停止する。板ばね曲げ部５１ｅがホルダ曲げ部２１ｄに当たってロックレバー４１が停止する位置も、係合部４１ｂが台間機本体１０側の係合穴３１に係合しないロック解除状態保持位置である。
【００５６】
図７は、図６の台間機本体１０が引き出された状態から台間機本体１０を差し込むことでロック解除状態が解除されるロック機構３０を示す図であり、（ａ）は側面図、（ｂ）は正面図、（ｃ）は（ａ）における○で囲った部分の拡大図である。
【００５７】
台間機本体１０は引き出された状態でも、ロックレバー４１は、係合部４１ｂが、台間機本体１０側の係合穴３１に係合しない高さ位置に保持されている。この状態で、図７の（ａ）〜（ｃ）に示すように、台間機本体１０が台間機ホルダ２０を差し込むと、プッシャ曲げ部５２ａが板ばね５１の角穴５１ｄの上方に当接して板ばね５１を図７の（ｃ）の矢印に示す方向に押す。これにより、板ばね５１は、ホルダ曲げ部２１ｄに乗った状態から外れる。
【００５８】
また、このとき、板ばね５１は、板ばね曲げ部５１ｅがホルダ曲げ部２１ｄを下方に押し下げることで、角穴５１ｄがホルダ曲げ部２１ｄに引っ掛かることなくスムーズに抜け出すことができる。したがって、角穴５１ｄの上端には、台間機本体１０の差し込み方向に突出した板ばね曲げ部５１ｅを設けることが好ましい。
【００５９】
図８は、図７の台間機本体１０が差し込まれ、板ばね５１とホルダ曲げ部２１ｄとの係合が解かれ、復帰ばね２６の力でロックレバー４１がロック位置に引き戻されてロックが掛かったロック状態のロック機構３０を示す図であり、（ａ）は側面図、（ｂ）は正面図、（ｃ）は（ａ）における○で囲った部分の拡大図である。
【００６０】
図８の（ａ）〜（ｃ）に示すように、板ばね５１が押されてホルダ曲げ部２１ｄに乗った状態から外れると、復帰ばね２６の力でロックレバー４１が最下位置まで降下し、ロックレバー４１の係合部４１ｂが、台間機本体１０側の係合穴３１に係合して、ロックが掛かる。
【００６１】
このように、上記構成のロック機構３０においては、ロック解除状態保持機構５０が、台間機本体１０を台間機ホルダ２０に抜き差しする方向である前後方向の動きでロック解除状態の保持および該保持の解除を行う構成となっている。
【００６２】
これにより、台間機ホルダ２０と台間機本体１０との電気的な接続精度を確保するためにもともと高く設定されている前後方向の位置精度を利用して、ロック機構３０を安定して動作させることができ、設計が容易でコストを安価にできる。
【００６３】
また、上記構成では、ロック解除状態を保持する板ばね５１をロックレバー４１に取り付けて移動させるので、板ばね５１を移動させる機構が必要なく、少ない部品点数で簡易な構成にて実現できる。
【００６４】
しかも、板ばね５１の弾性変形を利用するため、回転の支点軸が不要であり、部品１点でホルダ曲げ部２１ｄと角穴５１ｄとが係止する位置と、係止しない位置の２つの姿勢を作り出すことができる。また、板ばね５１自体に復帰力があるため、復帰のためのばね等も不要である。このように、板ばね５１を用いてロック解除状態保持機構５０を構成することで、ロック解除状態保持機構５０自体を小型化でき、ひいてはロック機構３０を小型化することができる。
【００６５】
最近の台間機においては、多機能化に伴い、台間機ホルダと台間機本体とを接続するコネクタのピン数が増え、コネクタが大型化しているため、ロック解除状態保持機構５０を含むロック機構３０を小型化する必要がり、ニーズに対応できる。
【００６６】
（その他の実施の形態）
本発明のその他の実施の形態について、図９〜図１２を参照して説明する。なお、説明の便宜上、前記実施形態にて説明した部材と同じ機能を有する部材については、同じ符号を付記し、その説明を省略する。
【００６７】
図９は、他の実施の形態を示すもので、台間機本体１０を台間機ホルダ２０に装着した状態でロックするロック機構７０を示す図であり、（ａ）はプッシャ板金７１に台間機本体の背面が当接する前の状態を示し、（ｂ）はプッシャ板金７１が台間機本体１０の背面板部分１１ａに押されてプッシャ曲げ部７１ａが板ばね５１を押している状態を示している。
【００６８】
図９に示すように、ロック機構７０においては、プッシャ板金７１は、先端部と基端部との間で、台間機ホルダ２０の縦フレーム２１に回転自在に支持されると共に、プッシャ板金７１の基端側が、板ばね５１の角穴５１ｄよりプッシャ曲げ部７１ａが抜け出す方向に、引っ張りばね７２にて付勢された構成である。
【００６９】
図１０は、さらに他の実施の形態を示すもので、台間機本体１０を台間機ホルダ２０に装着した状態でロックするロック機構８０を示す図であり、（ａ）はプッシャ板金８１に台間機本体の背面が当接する前の状態を示し、（ｂ）はプッシャ板金８１が台間機本体１０の背面板部分１１ａに押されてプッシャ曲げ部８１ａが板ばね５１を押している状態を示している。
【００７０】
図１０に示すように、ロック機構８０においては、プッシャ板金８１は、基端部で、台間機ホルダ２０の縦フレーム２１に回転自在に支持されると共に、先端部と基端部との間で、板ばね５１の角穴５１ｄよりプッシャ曲げ部８１ａが抜け出す方向に、圧縮ばね８２にて付勢された構成である。この場合、プッシャ板金８１における圧縮ばね８２の取り付け部は、圧縮ばね８２の長さを確保するために凸状に屈曲されており、台間機本体１０の背面板部分１１ａにも該凸上の屈曲部を逃がための凹部１１ｂが形成されている。
【００７１】
図１１は、さらに他の実施の形態を示すもので、台間機本体１０を台間機ホルダ２０に装着した状態でロックするロック機構９０を示す図であり、（ａ）は台間機本体１０の背面板部分１１ａに形成された本体曲げ部９１が板ばねに当接する前の状態を示し、（ｂ）は本体曲げ部９１が板ばね５１を押している状態を示している。
【００７２】
図１１に示すように、ロック機構９０においては、プッシャ板金７１を設けることなく、台間機本体１０の背面板部分１１ａに、押込部として機能する本体曲げ部９１を形成した構成である。
【００７３】
実施の形態１のロック機構３０、および図９、図１０に示したロック機構７０・８０では、台間機本体１０は背面板部分１１ａに出っ張りがなく、形状が簡素であるといったメリットがあったが、プッシャ板金５２・７１・８１や、引っ張りばね７２、圧縮ばね８２が必要となる。
【００７４】
図１１の構成とすることで、プッシャ板金５２・７１・８１や、引っ張りばね７２、圧縮ばね８２が必要なくなり、部品点数をさらに減らすことができるといったメリットがある。
【００７５】
但し、背面板部分１１ａに形成した本体曲げ部９１は、背面板部分１１ａから突出しているので変形しやすく、そのため、図１２に示すように、本体曲げ部９１の近くに本体曲げ部９１をガードするガード部材９５を設けることが好ましい。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７７】
１  台間機
２  遊技島
３  遊技台
１０  台間機本体
１１  ケース
１１ａ  背面板部分
１１ｂ  凹部
１２  ビルバリ
１３  制御基板
２０  台間機ホルダ
２１  縦フレーム
２１ａ  右側板部分
２１ｃ  ホルダ腕部
２１ｄ  ホルダ曲げ部（係止部）
３０，７０，８０，９０  ロック機構
３１  係合穴
４０  ホルダ側機構
４１  ロックレバー（ロック部材）
４１ａ  スライド板部分
４１ｂ  係合部
４１ｄ  手動操作部
４１ｅ  ガイド穴
５０  ロック解除状態保持機構
５１  板ばね
５１ｄ  角穴（開口部）
５１ｅ  板ばね曲げ部
５２，７１，８１  プッシャ板金
５２ａ，７１ａ，８１ａ  プッシャ曲げ部（押込部）
９１  本体曲げ部（押込部）
９５  ガード部材
【図１】
2018019967.tif 000003
【図２】
2018019967.tif 000004
【図３】
2018019967.tif 000005
【図４】
2018019967.tif 000006
【図５】
2018019967.tif 000007
【図６】
2018019967.tif 000008
【図７】
2018019967.tif 000009
【図８】
2018019967.tif 000010
【図９】
2018019967.tif 000011
【図１０】
2018019967.tif 000012
【図１１】
2018019967.tif 000013
【図１２】
2018019967.tif 000014